(57)【特許請求の範囲】
【請求項１】
第一端末に用いられる電話かけ方法であって、
第一端末のユーザが運転中であるか否かを判断するステップと、
前記第一端末のユーザが運転中である場合、サーバが第一情報に基づいて前記第一端末のユーザの現在の状態を運転状態に設定するように、前記サーバに前記第一情報を送信するステップと、
前記第一端末のユーザが運転中でなくなった場合、前記サーバが第二情報に基づいて前記現在の状態を非運転状態に設定するように、前記サーバに前記第二情報を送信するステップとを含み、
前記現在の状態は、指定のユーザへ公開し、
前記第一端末のユーザの現在の状態はクラウド名刺の方式で実現され、
前記クラウド名刺はユーザがクラウドサーバに記憶させた電子名刺であり、クラウド共有機能を実現し、
第一端末のユーザが運転中であるか否かを判断する前記ステップは、
短距離無線伝送装置を通じて車載システムに接続できるか否かを判断し、
前記車載システムに接続できる場合、前記第一端末のユーザが運転中であると特定し、
前記短距離無線伝送装置は、前記第一端末に取り付けられる、又は前記第一端末と接続されたウェアラブルデバイスに取り付けられる、ことを特徴とする電話かけ方法。
【請求項２】
第一端末に用いられる電話かけ装置であって、
第一端末のユーザが運転中であるか否かを判断し、前記第一端末のユーザが運転中である場合、情報送信モジュールを作動させるための運転判断モジュールと、
サーバが第一情報に基づいて前記第一端末のユーザの現在の状態を運転状態に設定するように、前記サーバに前記第一情報を送信し、且つ、前記第一端末のユーザが運転中でなくなった場合、前記サーバが第二情報に基づいて前記現在の状態を非運転状態に設定するように、前記サーバに前記第二情報を送信するための情報送信モジュールとを備え、
前記現在の状態は、指定のユーザへ公開し、
前記第一端末のユーザの現在の状態はクラウド名刺の方式で実現され、
前記クラウド名刺はユーザがクラウドサーバに記憶させた電子名刺であり、クラウド共有機能を実現し、
前記運転判断モジュールは、短距離無線伝送装置を通じて車載システムに接続できるか否かを判断し、前記車載システムに接続できる場合、前記第一端末のユーザが運転中であると特定し、
前記短距離無線伝送装置は、前記第一端末に取り付けられる、又は前記第一端末と接続されたウェアラブルデバイスに取り付けられる、ことを特徴とする電話かけ装置。
【請求項３】
電話かけ装置であって、
プロセッサと、
プロセッサが実行可能なコマンドを記憶するためのメモリとを備え、
前記プロセッサは、
第一端末のユーザが運転中であるか否かを判断し、
前記第一端末のユーザが運転中である場合、サーバに第一情報を送信することで、前記サーバが前記第一情報に基づいて前記第一端末のユーザの現在の状態を運転状態に設定するようにする、及び、
前記第一端末のユーザが運転中でなくなった場合、前記サーバに第二情報を送信することで、前記サーバが前記第二情報に基づいて前記現在の状態を非運転状態に設定するように構成され、
前記第一端末のユーザの現在の状態はクラウド名刺の方式で実現され、
前記クラウド名刺はユーザがクラウドサーバに記憶させた電子名刺であり、クラウド共有機能を実現し、
第一端末のユーザが運転中であるか否かを判断することは、
短距離無線伝送装置を通じて車載システムに接続できるか否かを判断し、
前記車載システムに接続できる場合、前記第一端末のユーザが運転中であると特定し、
前記短距離無線伝送装置は、前記第一端末に取り付けられる、又は前記第一端末と接続されたウェアラブルデバイスに取り付けられる、ことを特徴とする電話かけ装置。
【請求項４】
プロセッサに実行されることにより、請求項１に記載の電話かけ方法を実現することを特徴とするプログラム。
【請求項５】
請求項４に記載のプログラムが記録された記録媒体。
【発明の詳細な説明】
【相互参照】
【０００１】
本願は出願番号が２０１５１０７１９０２２．８であり、出願日が２０１５年１０月２９日である中国特許出願に基づくものであり、当該中国特許出願の優先権を主張する。当該中国特許出願の全ての内容は参照のため本願に援用される。
【技術分野】
【０００２】
本発明は移動通信分野に関し、特に電話かけ方法、装置、プログラム及び記録媒体に関する。
【背景技術】
【０００３】
科学技術の発展に伴い、携帯電話等の端末デバイスを使用して電話に出ることは人々の仕事と生活の中で非常に普通なこととなった。しかしながら、時には、人々が色々なことが原因で電話に出ることができない可能性がある。１つの典型的な場面は運転中であり、運転者が着信音に干渉されて、気を取られるだけでなく、一旦電話に出ると、交通事故などを引き起こしてしまう確率も更に高くなる。
【発明の概要】
【発明が解決しようとする課題】
【０００４】
関連技術に存在する問題を解決するために、本発明は運転者に対する着信の干渉を回避するための電話かけ方法、装置、プログラム及び記録媒体を提供する。
【課題を解決するための手段】
【０００５】
本発明の実施例の第一態様によれば、第一端末に用いられる電話かけ方法を提供する。該方法は、
第一端末のユーザが運転中であるか否かを判断するステップと、
前記第一端末のユーザが運転中である場合、サーバが第一情報に基づいて前記第一端末のユーザの現在の状態を運転状態に設定するように、前記サーバに前記第一情報を送信するステップと、
前記第一端末のユーザが運転中でなくなった場合、前記サーバが第二情報に基づいて前記現在の状態を非運転状態に設定するように、前記サーバに前記第二情報を送信するステップとを含み、
前記現在の状態は指定のユーザへ公開する。
【０００６】
好ましくは、第一端末のユーザが運転中であるか否かを判断するステップは、
短距離無線伝送装置を通じて車載システムに接続できるか否かを判断するステップと、
前記車載システムに接続できる場合、前記第一端末のユーザが運転中であると特定するステップとを含む。
【０００７】
また、好ましくは、前記短距離無線伝送装置は前記第一端末に取り付けられる、又は前記第一端末と接続されたウェアラブルデバイスに取り付けられる。
【０００８】
本発明の実施例の第二態様によれば、第二端末に用いられる電話かけ方法を提供する。該方法は、
第一端末を呼び出すときに、前記第一端末のユーザの現在の状態をサーバから検索するステップと、
前記現在の状態が運転状態であるか否かを判断するステップと、
前記現在の状態が運転状態である場合、所定操作を作動させるステップとを含み、
前記現在の状態は指定のユーザへ公開し、前記第二端末のユーザは前記指定のユーザに属する。
【０００９】
好ましくは、前記所定操作は、
前記第一端末のユーザが運転中である旨の注意を促すことを含む。
【００１０】
また、好ましくは、所定操作を作動させるステップの後、前記方法は、
前記現在の状態が運転状態でないことを前記サーバから検索した場合、通知を出すステップを更に含む。
【００１１】
本発明の実施例の第三態様によれば、サーバに用いられる電話かけ方法を提供する。該方法は、
第一端末から送信された第一情報又は第二情報を受信するステップと、
前記第一情報に基づいて前記第一端末のユーザの現在の状態を運転状態に設定する、又は前記第二情報に基づいて前記現在の状態を非運転状態に設定するステップと、
前記現在の状態に対する第二端末の検索リクエストを受信するステップと、
前記第二端末のユーザが前記指定のユーザに属するか否かを判断するステップと、
前記第二端末のユーザが前記指定のユーザに属する場合、前記現在の状態を前記第二端末に送信するステップとを含み、前記現在の状態は指定のユーザへ公開する。
【００１２】
本発明の実施例の第四態様によれば、第一端末に用いられる電話かけ装置を提供する。該装置は、
第一端末のユーザが運転中であるか否かを判断し、前記第一端末のユーザが運転中である場合、情報送信モジュールを作動させるための運転判断モジュールと、
サーバが第一情報に基づいて前記第一端末のユーザの現在の状態を運転状態に設定するように、前記サーバに前記第一情報を送信し、且つ、前記第一端末のユーザが運転中でなくなった場合、前記サーバが第二情報に基づいて前記現在の状態を非運転状態に設定するように、前記サーバに前記第二情報を送信するための情報送信モジュールとを備え、
前記現在の状態は指定のユーザへ公開する。
【００１３】
好ましくは、前記運転判断モジュールは、短距離無線伝送装置を通じて車載システムに接続できるか否かを判断し、前記車載システムに接続できる場合、前記第一端末のユーザが運転中であると特定する。
【００１４】
また、好ましくは、前記短距離無線伝送装置は前記第一端末に取り付けられる、又は前記第一端末と接続されたウェアラブルデバイスに取り付けられる。
【００１５】
本発明の実施例の第五態様によれば、第二端末に用いられる電話かけ装置を提供する。該装置は、
第一端末を呼び出すときに、前記第一端末のユーザの現在の状態をサーバから検索するための状態検索モジュールと、
前記現在の状態が運転状態であるか否かを判断し、前記現在の状態が運転状態である場合、操作モジュールを作動させるための状態判断モジュールと、
所定操作を実行するための操作モジュールとを備え、
前記現在の状態は指定のユーザへ公開し、前記第二端末のユーザは前記指定のユーザに属する。
【００１６】
好ましくは、前記所定操作は、
前記第一端末のユーザが運転中である旨の注意を促すことを含む。
【００１７】
また、好ましくは、前記装置は、
前記現在の状態が運転状態でなくなったことを前記サーバから検索した場合、通知を出すための通話可能通知モジュールを更に備える。
【００１８】
本発明の実施例の第六態様によれば、サーバに用いられる電話かけ装置を提供する。該装置は、
第一端末から送信された第一情報又は第二情報を受信するための状態情報受信モジュールと、
前記第一情報に基づいて前記第一端末のユーザの現在の状態を運転状態に設定する、又は前記第二情報に基づいて前記現在の状態を非運転状態に設定するための状態設定モジュールと、
前記現在の状態に対する第二端末の検索リクエストを受信するための検索リクエスト受信モジュールと、
前記第二端末のユーザが前記指定のユーザに属するか否かを判断し、前記第二端末のユーザが前記指定のユーザに属する場合、状態送信モジュールを作動させるための身分判断モジュールと、
前記現在の状態を前記第二端末に送信するための状態送信モジュールとを備え、前記現在の状態は指定のユーザへ公開する。
【００１９】
本発明の実施例の第七態様によれば、電話かけ装置を提供する。当該装置は、
プロセッサと、
プロセッサが実行可能なコマンドを記憶するためのメモリとを備え、
前記プロセッサは、
第一端末のユーザが運転中であるか否かを判断し、
前記第一端末のユーザが運転中である場合、サーバが第一情報に基づいて前記第一端末のユーザの現在の状態を運転状態に設定するように、前記サーバに前記第一情報を送信し、且つ、
前記第一端末のユーザが運転中でなくなった場合、前記サーバが第二情報に基づいて前記現在の状態を非運転状態に設定するように、前記サーバに前記第二情報を送信するように構成される。
【００２０】
本発明の実施例の第八態様によれば、電話かけ装置を提供する。該装置は、
プロセッサと、
プロセッサが実行可能なコマンドを記憶するためのメモリとを備え、
前記プロセッサは、
第一端末を呼び出すときに、前記第一端末のユーザの現在の状態をサーバから検索し、
前記現在の状態が運転状態であるか否かを判断し、
前記現在の状態が運転状態である場合、所定操作を作動させるように構成され、
前記現在の状態は指定のユーザへ公開し、前記第二端末のユーザは前記指定のユーザに属する。
【００２１】
本発明の実施例の第九態様によれば、電話かけ装置を提供する。
【００２２】
プロセッサと、
プロセッサが実行可能なコマンドを記憶するためのメモリとを備え、
前記プロセッサは、
第一端末から送信された第一情報又は第二情報を受信し、
前記第一情報に基づいて前記第一端末のユーザの現在の状態を運転状態に設定し、又は前記第二情報に基づいて前記現在の状態を非運転状態に設定し、
前記現在の状態に対する第二端末の検索リクエストを受信し、
前記第二端末のユーザが前記指定のユーザに属するか否かを判断し、
前記第二端末のユーザが前記指定のユーザに属する場合、前記現在の状態を前記第二端末に送信するように構成され、前記現在の状態は指定のユーザへ公開する。
【発明の効果】
【００２３】
本発明の実施例が提供する技術的解決手段は下記のような有利な効果を含むことができる。
【００２４】
関連技術において、電話を掛ける人（下記では発信者と称す）は通常相手（下記では受信者と称す）が運転中であることを知らないため、電話を掛けて受信者を干渉することも仕方が無いことである。本発明の実施例において、携帯電話などのような受信者の端末デバイスは受信者が運転中であることを知ることができ、クラウドサーバに受信者の状態を更新するように通知し、例示的に受信者の状態はクラウド名刺方式でサーバに置いておいてもよい。こうすることで発信者が電話を掛けるとき、発信者の携帯電話はまずサーバから受信者の状態を検索し、受信者が現在運転中である場合、発信者の携帯電話は発信者に注意を促すことができるため、受信者に対する干渉を回避し、運転中である受信者の安全を保障する。
【００２５】
また、一般的な説明及び以下の詳細な説明は単なる例示及び解釈に過ぎず、本発明を限定するものではないことを理解すべきである。
【図面の簡単な説明】
【００２６】
本願の図面は明細書に取り込まれて明細書の一部を構成し、本発明に合致する実施例を示し、また、明細書と共に本発明の原理の解釈に用いられる。
【図１】一つの例示的な実施例にかかる、電話かけ方法のフローチャートである。
【図２】一つの例示的な実施例にかかる、電話かけ方法のフローチャートである。
【図３】一つの例示的な実施例にかかる場面の模式図である。
【図４】一つの例示的な実施例にかかる場面の模式図である。
【図５】一つの例示的な実施例にかかる、電話かけ方法のフローチャートである。
【図６】一つの例示的な実施例にかかる、電話かけ方法のフローチャートである。
【図７】一つの例示的な実施例にかかる、電話かけ方法のフローチャートである。
【図８】一つの例示的な実施例にかかる、電話かけ方法のシグナリング模式図である。
【図９】一つの例示的な実施例にかかるインターフェースの模式図である。
【図１０】一つの例示的な実施例にかかる、電話かけ装置のブロック図である。
【図１１】一つの例示的な実施例にかかる、電話かけ装置のブロック図である。
【図１２】一つの例示的な実施例にかかる、電話かけ装置のブロック図である。
【図１３】一つの例示的な実施例にかかる、電話かけ装置のブロック図である。
【図１４】一つの例示的な実施例にかかる、電話を掛けるための装置のブロック図である。
【図１５】一つの例示的な実施例にかかる、電話を掛けるための装置のブロック図である。
【発明を実施するための形態】
【００２７】
次に、実施例を詳細に説明し、例示が図に示されている。以下の記述が図に係る場合、別途にて示さない限り、異なる図面における同じ符号は、同じまたは類似する要素を示す。以下の実施例に記述される実施形態は、本発明と一致する全ての実施形態を代表するとは限らない。逆に、それらは、添付の特許請求の範囲に記載されているように、本発明の一部の側面と一致する装置および方法の例に過ぎない。
【００２８】
図１は一つの例示的な実施例にかかる、電話かけ方法のフローチャートである。該方法は例えば携帯電話、タブレットＰＣなどのような第一端末に用いられることができる。第一端末は即ち電話を掛けられた端末であり、第一端末のユーザは即ち電話を掛けられたユーザ、言い換えると受信者である。
【００２９】
図１に示すように、該方法は以下を含むことができる。
【００３０】
ステップＳ１０１において、第一端末のユーザが運転中であるか否かを判断する。
【００３１】
具体的に実施する際、第一端末は多岐にわたる方法でそのユーザが現在運転中であるか否かを判断することができ、これらの方法について本実施例は限定しない。例えば、第一端末は第一端末の位置とユーザの車の位置が重畳するか否かによってユーザが現在運転中であるか否かを判断する、等などである。ここで使用することができるこれらの方法はいずれも本発明の主旨及び保護範囲を離反しない。
【００３２】
ステップＳ１０２において、前記第一端末のユーザが運転中である場合、サーバが第一情報に基づいて前記第一端末のユーザの現在の状態を運転状態に設定するように、前記サーバに前記第一情報を送信する。
【００３３】
サーバには、その他ユーザが検索できるように、第一端末のユーザの現在の状態が保存される。このようにすることでその他ユーザの端末が第一端末のユーザに電話を掛けるとき、まず第一端末のユーザの現在の状態を検索し、運転状態である場合、通知を出すことができる。
【００３４】
例示的に、具体的に実施する際、第一端末のユーザの現在の状態をクラウド名刺の方式で実現することができる。クラウド名刺はユーザがクラウドサーバに記憶させた電子名刺であり、クラウド共有機能を実現することができるため、「クラウド名刺」と称される。
【００３５】
また、プライベート保護のために、第一端末のユーザの現在の状態は通常、指定のユーザにのみ公開され、例えば指定のユーザは第一端末のユーザの、インスタントメッセージソフト上の友人、又は第一端末の連絡帳に入っている連絡先、等などであってもよい。
【００３６】
ステップＳ１０３において、前記第一端末のユーザが運転中でなくなった場合、前記サーバに第二情報を送信することで、前記サーバが前記第二情報に基づいて前記現在の状態を非運転状態に設定するようにする。
【００３７】
このようにすることで、その他ユーザの端末が第一端末のユーザの現在の状態を再び検索したとき、もう運転状態でなくなったことが分かった場合、このときも通知を出すことができる。
【００３８】
図２に示すように、本実施例又は本発明のその他一部の実施例において、第一端末のユーザが運転状態であるか否かを判断する前記ステップは以下を含むことができる。
【００３９】
ステップＳ２０１において、短距離無線伝送装置を通じて車載システムに接続できるか否かを判断する。
【００４０】
例えば、短距離無線伝送装置はブルートゥースモジュールであってもよい。
【００４１】
ステップＳ２０２において、前記車載システムに接続できる場合、前記第一端末のユーザが運転中であると特定する。
【００４２】
例えば、携帯電話のブルートゥースが車載システムに接続することができる場合、ユーザが既に車内にいることを示しており、従ってさらにはユーザが運転中であると推定することができる。当然ながら、ユーザは車内の乗客に過ぎず運転者ではない等の特殊な状況は、本実施例の討論範囲内ではない。
【００４３】
例示的に、前記短距離無線伝送装置は前記第一端末に取り付けられることが可能、又は前記第一端末と接続されたウェアラブルデバイスに取り付けられることが可能である。
【００４４】
図３及び図４を参照することができる。第一端末が携帯電話で、ウェアラブルデバイスがブレスレットであることを例にすると、図３において、携帯電話３０３はブルートゥースを介して車３０２の車載システムに接続できることが分かると、サーバに該ユーザが現在運転中であることを通知するため、サーバ３０１に情報を送信する。図４において、ブレスレット３０４はブルートゥースを介して車３０２の車載システムに接続できることが分かると、サーバに該ユーザが現在運転中であると通知するため、携帯電話３０３に報告し、携帯電話３０３は再びサーバ３０１に情報を送信する。
【００４５】
関連技術において、発信者は通常受信者が運転中であることを知らないため、電話を掛けて受信者を干渉することも仕方が無いことである。しかし上述した実施例においては、受信者の端末デバイスは受信者が運転中であることを知ることができ、その後クラウドサーバに受信者の状態を更新するように通知する。こうすることで発信者が電話を掛けるとき、発信者の携帯電話はまずサーバから受信者の状態を検索し、受信者が現在運転中である場合、発信者の携帯電話は発信者を注意することができ、これにより受信者に対する干渉を回避し、運転中である受信者の安全を保障する。
【００４６】
図５は一つの例示的な実施例にかかる、電話かけ方法のフローチャートである。該方法は例えば携帯電話、タブレットＰＣなどのような第二端末に用いられることができる。第二端末は即ち電話を掛けた端末であり、第二端末のユーザは即ち電話を掛けたユーザ、言い換えると発信者である。
【００４７】
図５に示すように、該方法は以下を含むことができる。
【００４８】
ステップＳ５０１において、第一端末を呼び出すときに、前記第一端末のユーザの現在の状態をサーバから検索する。ただし、前記現在の状態は指定のユーザへ公開し、前記第二端末のユーザは前記指定のユーザに属する。
【００４９】
サーバには、その他ユーザが検索できるように、第一端末のユーザの現在の状態が保存される。このようにすることでその他ユーザの端末が第一端末のユーザに電話を掛けるとき、まず第一端末のユーザの現在の状態を検索し、運転状態である場合、通知を出すことができる。
【００５０】
例示的に、具体的に実施する際、第一端末のユーザの現在の状態をクラウド名刺の方式で実現することができる。クラウド名刺はユーザがクラウドサーバに記憶させた電子名刺であり、クラウド共有機能を実現することができるため、「クラウド名刺」と称される。
【００５１】
また、プライベート保護のために、第一端末のユーザの現在の状態は通常、指定のユーザにのみ公開され、例えば指定のユーザは第一端末のユーザの、インスタントメッセージソフト上の友人、又は第一端末の連絡帳に入っている連絡先、等などであってもよい。
【００５２】
ステップＳ５０２において、前記現在の状態が運転状態であるか否かを判断する。
【００５３】
ステップＳ５０３において、前記現在の状態が運転状態である場合、所定操作を作動させる。
【００５４】
本実施例又は本発明のその他一部の実施例において、前記所定操作は、
前記第一端末のユーザが運転中である旨の注意を促すことを含むことができる。
【００５５】
また、所定操作は今回の発信を取り消す、又はＳＭＳ送信に変更、等などを含むことができる。これについて本実施例は限定しない。
【００５６】
図６に示すように、本実施例又は本発明のその他一部の実施例において、所定操作を作動させる前記ステップの後、前記方法は以下を更に含むことができる。
【００５７】
ステップＳ５０４において、前記現在の状態が運転状態でなくなったことを前記サーバから検索した場合、通知を出す。
【００５８】
こうすることで発信者は通知を見た後、再び受信者に電話を掛けることができる。
【００５９】
上述した実施例においては、受信者の端末デバイスは受信者が運転中であることを知ることができ、その後クラウドサーバに受信者の状態を更新するように通知する。こうすることで発信者が電話を掛けるとき、発信者の携帯電話はまずサーバから受信者の状態を検索し、受信者が現在運転中である場合、発信者の携帯電話は発信者を注意することができ、これにより受信者に対する干渉を回避し、運転中である受信者の安全を保障する。
【００６０】
図７は一つの例示的な実施例にかかる、電話かけ方法のフローチャートである。該方法はサーバに用いられることができる。図７に示すように、該方法は以下を含むことができる。
【００６１】
ステップＳ７０１において、第一端末から送信された第一情報又は第二情報を受信する。
【００６２】
ステップＳ７０２において、前記第一情報に基づいて前記第一端末のユーザの現在の状態を運転状態に設定する、又は前記第二情報に基づいて前記現在の状態を非運転状態に設定する。ただし、前記現在の状態は指定のユーザへ公開する。
【００６３】
サーバには、その他ユーザが検索できるように、第一端末のユーザの現在の状態が保存される。このようにすることでその他ユーザの端末が第一端末のユーザに電話を掛けるとき、まず第一端末のユーザの現在の状態を検索し、運転状態である場合、通知を出すことができる。
【００６４】
例示的に、具体的に実施する際、第一端末のユーザの現在の状態をクラウド名刺の方式で実現することができる。クラウド名刺はユーザがクラウドサーバに記憶させた電子名刺であり、クラウド共有機能を実現することができるため、「クラウド名刺」と称される。
【００６５】
また、プライベート保護のために、第一端末のユーザの現在の状態は通常、指定のユーザにのみ公開され、例えば指定のユーザは第一端末のユーザの、インスタントメッセージソフト上の友人、又は第一端末の連絡帳に入っている連絡先、等などであってもよい。
【００６６】
ステップＳ７０３において、前記現在の状態に対する第二端末の検索リクエストを受信する。
【００６７】
ステップＳ７０４において、前記第二端末のユーザが前記指定のユーザに属するか否かを判断する。
【００６８】
ステップＳ７０５において、前記第二端末のユーザが前記指定のユーザに属する場合、前記現在の状態を前記第二端末に送信する。
【００６９】
上述した実施例においては、受信者の端末デバイスは受信者が運転中であることを知ることができ、その後クラウドサーバに受信者の状態を更新するように通知する。こうすることで発信者が電話を掛けるとき、発信者の携帯電話はまずサーバから受信者の状態を検索し、受信者が現在運転中である場合、発信者の携帯電話は発信者を注意することができ、これにより受信者に対する干渉を回避し、運転中である受信者の安全を保障する。
【００７０】
下記においては一つの具体的な場面を組み合わせて本発明の手段を更に詳しく説明する。
【００７１】
図８は一つの例示的な実施例にかかる、電話かけ方法のシグナリング模式図である。
【００７２】
ステップＳ８０１において、第一端末はブルートゥースを介して車載システムに接続できることが分かり、第一端末のユーザが運転中であると推定する。
【００７３】
ステップＳ８０２において、第一端末はサーバに第一情報を送信することで、サーバが第一端末のユーザのクラウド名刺を運転状態に設定するようにする。
【００７４】
ステップＳ８０３において、第二端末は第一端末のユーザに電話を掛けるとき、まずはサーバから第一端末のユーザのクラウド名刺を検索する。
【００７５】
ステップＳ８０４において、サーバは第一端末のユーザのクラウド名刺を第二端末に送信する。
【００７６】
ステップＳ８０５において、第二端末は第一端末のユーザが運転中であることを知り、第二端末のユーザに通知する。
【００７７】
また通知以外に、第二端末のユーザが選択できるようにいくつかの選択肢を提供することもできる。例示として図９を参照することができ、図９に示すように、通知を見たユーザは「呼び出しを取り消す」、「ＳＭＳ送信に変更」、「呼び出しを続ける」の中から選択することができる。
【００７８】
ステップＳ８０６において、第一端末は車載システムがブルートゥース接続を切断したことを知り、第一端末のユーザが運転中でなくなったと推定する。
【００７９】
ステップＳ８０７において、第一端末はサーバに第二情報を送信することで、サーバが第一端末のユーザのクラウド名刺を非運転状態に設定するようにする。
【００８０】
ステップＳ８０８において、第二端末は再び第一端末のユーザのクラウド名刺を検索し、運転中でなくなったことを知り、第二端末のユーザに通知する。
【００８１】
ステップＳ８０９において、第二端末のユーザは再び第一端末のユーザに電話を掛けて、最終的には通話を実現する。
【００８２】
上述した実施例においては、受信者の端末デバイスは受信者が運転中であることを知ることができ、その後クラウドサーバに受信者の状態を更新するように通知する。こうすることで発信者が電話を掛けるとき、発信者の携帯電話はまずサーバから受信者状態を検索し、受信者が現在運転中である場合、発信者の携帯電話は発信者を注意することができ、これにより受信者を干渉するとを避け、運転中である受信者の安全を保障する。
【００８３】
下記は本発明の装置実施例であり、本発明の方法実施例の実行のために使用する。本発明の装置実施例において披露されていない細部については、本発明の方法実施例を参照されたい。
【００８４】
図１０は一つの例示的な実施例にかかる、電話かけ装置のブロック図である。前記装置は第一端末に用いられることができる。図１０に示すように、前記装置は、
第一端末のユーザが運転中であるか否かを判断し、前記第一端末のユーザが運転中である場合、情報送信モジュール１００２を作動させるための運転判断モジュール１００１と、
サーバが第一情報に基づいて前記第一端末のユーザの現在の状態を運転状態に設定するように、前記サーバに前記第一情報を送信し、且つ、前記第一端末のユーザが運転中でなくなった場合、前記サーバが第二情報に基づいて前記現在の状態を非運転状態に設定するように、前記サーバに前記第二情報を送信するための情報送信モジュール１００２とを備えることができ、ただし前記現在の状態は指定のユーザへ公開する。
【００８５】
本実施例又は本発明のその他一部の実施例において、前記運転判断モジュール１００１は、短距離無線伝送装置を通じて車載システムに接続できるか否かを判断し、前記車載システムに接続できる場合、前記第一端末のユーザが運転中であると特定するために使われる。
【００８６】
本実施例又は本発明のその他一部の実施例において、前記短距離無線伝送装置は前記第一端末に取り付けられる、又は前記第一端末と接続されたウェアラブルデバイスに取り付けられる。
【００８７】
図１１は一つの例示的な実施例にかかる、電話かけ装置のブロック図である。前記装置は第二端末に用いられることができる。図１１に示すように、前記装置は、
第一端末を呼び出すときに、前記第一端末のユーザの現在の状態をサーバから検索するための状態検索モジュール１１０１と、
前記現在の状態が運転状態であるか否かを判断し、前記現在の状態が運転状態である場合、操作モジュール１１０３を作動させるための状態判断モジュール１１０２と、
所定操作を実行するための操作モジュール１１０３とを備えることができる。
【００８８】
ただし、前記現在の状態は指定のユーザへ公開し、前記第二端末のユーザは前記指定のユーザに属する。
【００８９】
本実施例又は本発明のその他一部の実施例において、前記所定操作は、
前記第一端末のユーザが運転中である旨の注意を促すことを含む。
【００９０】
図１２に示すように、本実施例又は本発明のその他一部の実施例において、前記装置は、
前記現在の状態が運転状態でなくなったことを前記サーバから検索した場合、通知を出すための通話可能通知モジュール１１０４を更に備えることができる。
【００９１】
図１３は一つの例示的な実施例にかかる、電話かけ装置のブロック図である。前記装置はサーバに用いられることができる。図１３に示すように、前記装置は、
第一端末から送信された第一情報又は第二情報を受信するための状態情報受信モジュール１３０１と、
前記第一情報に基づいて前記第一端末のユーザの現在の状態を運転状態に設定する、又は前記第二情報に基づいて前記現在の状態を非運転状態に設定するための状態設定モジュール１３０２と、
前記現在の状態に対する第二端末の検索リクエストを受信するための検索リクエスト受信モジュール１３０３と、
前記第二端末のユーザが前記指定のユーザに属するか否かを判断し、前記第二端末のユーザが前記指定のユーザに属する場合、状態送信モジュールを作動させるための身分判断モジュール１３０４と、
前記現在の状態を前記第二端末に送信するための状態送信モジュール１３０５とを備えることができる。
【００９２】
ただし、前記現在の状態は指定のユーザへ公開する。
【００９３】
上述した実施例においては、受信者の端末デバイスは受信者が運転中であることを知ることができ、その後クラウドサーバに受信者の状態を更新するように通知する。こうすることで発信者が電話を掛けるとき、発信者の携帯電話はまずサーバから受信者の状態を検索し、受信者が現在運転中である場合、発信者の携帯電話は発信者を注意することができ、これにより受信者に対する干渉を回避し、運転中である受信者の安全を保障する。
【００９４】
上述した実施例における装置に関しては、それぞれのモジュールが操作を実行する具体的な方法は既に関連する実施例において詳細な説明を行っており、ここでは繰り返し説明しない。
【００９５】
本発明は電話かけ装置を更に開示し、
プロセッサと、
プロセッサが実行可能なコマンドを記憶するためのメモリとを備え、
前記プロセッサは、
第一端末のユーザが運転中であるか否かを判断し、
前記第一端末のユーザが運転中である場合、サーバが第一情報に基づいて前記第一端末のユーザの現在の状態を運転状態に設定するように、前記サーバに前記第一情報を送信し、且つ、
前記第一端末のユーザが運転中でなくなった場合、前記サーバが第二情報に基づいて前記現在の状態を非運転状態に設定するように、前記サーバに前記第二情報を送信するように構成される。
【００９６】
本発明は非一時的なコンピュータ読み取り可能な記憶媒体を更に開示し、前記記憶媒体のコマンドが第一端末のプロセッサによって実行されるとき、第一端末が電話かけ方法を実行できるようにするが、前記方法は、
第一端末のユーザが運転中であるか否かを判断し、
前記第一端末のユーザが運転中である場合、サーバが第一情報に基づいて前記第一端末のユーザの現在の状態を運転状態に設定するように、前記サーバに前記第一情報を送信し、且つ、
前記第一端末のユーザが運転中でなくなった場合、前記サーバが第二情報に基づいて前記現在の状態を非運転状態に設定するように、前記サーバに前記第二情報を送信する。
【００９７】
本発明は電話かけ装置を更に開示し、
プロセッサと、
プロセッサが実行可能なコマンドを記憶するためのメモリとを備え、
前記プロセッサは、
第一端末を呼び出すときに、前記第一端末のユーザの現在の状態をサーバから検索し、
前記現在の状態が運転状態であるか否かを判断し、
前記現在の状態が運転状態である場合、所定操作を作動させるように構成される。
【００９８】
ただし、前記現在の状態は指定のユーザへ公開し、前記第二端末のユーザは前記指定のユーザに属する。
【００９９】
本発明は非一時的なコンピュータ読み取り可能な記憶媒体を更に開示し、前記記憶媒体のコマンドが第二端末のプロセッサによって実行されるとき、第二端末が電話かけ方法を実行できるようにするが、前記方法は、
第一端末を呼び出すときに、前記第一端末のユーザの現在の状態をサーバから検索し、
前記現在の状態が運転状態であるか否かを判断し、
前記現在の状態が運転状態である場合、所定操作を作動させる。
【０１００】
ただし、前記現在の状態は指定のユーザへ公開し、前記第二端末のユーザは前記指定のユーザに属する。
【０１０１】
本発明は電話かけ装置を更に開示し、
プロセッサと、
プロセッサが実行可能なコマンドを記憶するためのメモリとを備え、
前記プロセッサは、
第一端末から送信された第一情報又は第二情報を受信し、
前記第一情報に基づいて前記第一端末のユーザの現在の状態を運転状態に設定し、又は前記第二情報に基づいて前記現在の状態を非運転状態に設定し、
前記現在の状態に対する第二端末の検索リクエストを受信し、
前記第二端末のユーザが前記指定のユーザに属するか否かを判断し、
前記第二端末のユーザが前記指定のユーザに属する場合、前記現在の状態を前記第二端末に送信するように構成される。
【０１０２】
ただし、前記現在の状態は指定のユーザへ公開する。
【０１０３】
本発明は非一時的なコンピュータ読み取り可能な記憶媒体を更に開示し、前記記憶媒体のコマンドがサーバのプロセッサによって実行されるとき、サーバが電話かけ方法を実行できるようにするが、前記方法は、
第一端末から送信された第一情報又は第二情報を受信し、
前記第一情報に基づいて前記第一端末のユーザの現在の状態を運転状態に設定し、又は前記第二情報に基づいて前記現在の状態を非運転状態に設定し、
前記現在の状態に対する第二端末の検索リクエストを受信し、
前記第二端末のユーザが前記指定のユーザに属するか否かを判断し、
前記第二端末のユーザが前記指定のユーザに属する場合、前記現在の状態を前記第二端末に送信する。
【０１０４】
ただし、前記現在の状態は指定のユーザへ公開する。
【０１０５】
図１４は一つの例示的な実施例にかかる、電話を掛けるための装置のブロック図である。例えば、該装置１４００は携帯電話、コンピュータ、デジタル放送端末、メッセージ送受信設備、ゲームコンソール、タブレット設備、医療設備、フィットネス設備、パーソナルデジタルアシスタント等であってもよい。
【０１０６】
図１４に示すように、装置１４００は、処理ユニット１４０２、メモリ１４０４、電源ユニット１４０６、マルチメディアユニット１４０８、オーディオユニット１４１０、入力／出力（Ｉ／Ｏ）のインターフェース１４１２、センサユニット１４１４、及び通信ユニット１４１６の一つ又は複数ユニットを含むことができる。
【０１０７】
処理ユニット１４０２は通常の場合、例えば表示、電話の呼び出し、データ通信、カメラ操作及び記録操作と関わりのある、装置１４００の全ての操作を制御する。処理ユニット１４０２は一つ又は複数のプロセッサ１４２０でコマンドを実行することができ、これにより、上述した方法の全部又は一部ステップを完成させる。また、処理ユニット１４０２はその他ユニットとのやり取りをするため、一つ又は複数のモジュールを含むことができる。例えば、処理ユニット１４０２はマルチメディアユニット１４０８とのやり取りをするため、マルチメディアモジュールを含むことができる。
【０１０８】
メモリ１４０４は装置１４００において、操作を実行するため、各種のデータを記憶するように構成されている。これらのデータの例示は、装置１４００において操作する任意のアプリケーションプログラム又は方法のコマンド、連絡先データ、電話帳データ、メッセージ、画像、映像などを含む。メモリ１４０４は、スタティックランダムアクセスメモリ（ＳＲＡＭ）、電気的に書き込みと消去が可能なＲＯＭ（ＥＥＰＲＯＭ）、電気的に書き込み可能なＲＯＭ（ＥＰＲＯＭ）、書き込み可能メモリ（ＰＲＯＭ）、読み出し専用メモリ（ＲＯＭ）、磁気メモリ、フラッシュメモリ、磁気ディスク又は光ディスクなどの全ての種類の揮発性もしくは不揮発性メモリ、又はそれらの組み合わせにより実現することができる。
【０１０９】
電源ユニット１４０６は装置１４００における各種ユニットに給電する。電源ユニット１４０６は電源管理システム、一つ又は複数の電源、並びにその他の装置１４００のため、電力の生成、管理及び分配と関連するユニットを含むことができる。
【０１１０】
マルチメディアユニット１４０８は、前記装置１４００とユーザとの間で出力インターフェースを提供するスクリーンを含む。一部の実施例において、スクリーンは液晶ディスプレイ（ＬＣＤ）及びタッチパネル（ＴＰ）を含むことができる。スクリーンがタッチパネルを含む場合、ユーザからの入力信号を受信するために、スクリーンはタッチスクリーンとして実現することができる。タッチ、スワイプ及びタッチパネル上の手の動きを感知するために、タッチパネルは一つ又は複数のタッチセンサを含んでいる。前記タッチセンサはタッチ又はスワイプ操作の境目を感知するだけでなく、前記タッチ又はスワイプ操作の持続時間及び圧力も感知する。一部の実施例において、マルチメディアユニット１４０８は一つのフロントカメラ及び／又はバックカメラを含む。装置１４００が、例えば撮影モード又は映像モードなどの操作モードにある場合、フロントカメラ及び／又はバックカメラは外部のマルチメディアデータを受信することができる。それぞれのフロントカメラ及びバックカメラは一つの固定の光学レンズシステム又は、焦点距離及び光学ズーム機能を有するものであってもよい。
【０１１１】
オーディオユニット１４１０はオーディオ信号を出力及び／又は入力するように構成されている。例えば、オーディオユニット１４１０は一つのマイクロフォン（ＭＩＣ）を含んでおり、装置１４００が呼び出しモード、記録モード及び音声認識モードのような操作モードにある場合、マイクロフォンは外部のオーディオ信号を受信するように構成されている。受け付けたオーディオ信号は更にメモリ１４０４に記憶されるか、又は通信ユニット１４１６を経由して送信することができる。一部の実施例において、オーディオユニット１４１０は更に一つの、オーディオ信号を出力するためのスピーカーを含む。
【０１１２】
Ｉ／Ｏインターフェース１４１２は、処理ユニット１４０２と周辺インターフェースモジュールの間でインターフェースを提供し、上述した周辺インターフェースモジュールはキーボード、クリックホイール、ボタンなどであってもよい。これらのボタンにはホームページボタン、音量ボタン、起動ボタン及びロックボタンが含まれるが、これに限定されない。
【０１１３】
センサユニット１４１４は、装置１４００に各方面の状態の評価を提供するために、一つ又は複数のセンサを含んでいる。例えば、センサユニット１４１４は装置１４００のオン／オフ状態、ユニットの相対位置を感知することができる。前記ユニットは例えば、装置１４００のディスプレイ及びキーパッドであってもよく、センサユニット１４１４は更に、装置１４００又は装置１４００の一つのユニットの位置変化、ユーザと装置１４００の接触の有無、装置１４００の方位又は加速／減速及び、装置１４００の温度変化を検出することができる。センサユニット１４１４は接近センサを含むことができ、これは如何なる物理的接触がない場合においても付近の物体の存在を検出するように構成されている。センサユニット１４１４は更に、イメージング応用において使用される、ＣＭＯＳ又はＣＣＤイメージセンサのような光センサを含むことができる。一部の実施例において、該センサユニット１４１４は更に、加速度センサ、ジャイロセンサ、磁気センサ、圧力センサ又は温度センサを含むことができる。
【０１１４】
通信ユニット１４１６は、装置１４００がその他設備と有線又は無線方式の通信をするように構成されている。装置１４００は、例えばＷｉＦｉ、２Ｇ若しくは３Ｇ、又はそれらの組み合わせなどの、通信規格に準拠した無線ネットワークに接続することができる。一つの例示的な実施例において、通信ユニット１４１６は放送チャンネルを経由して、外部の放送管理システムからの放送信号又は、放送関連情報を受信する。一つの例示的な実施例において、前記通信ユニット１４１６は更に近距離通信を促進するための近距離無線通信（ＮＦＣ）モジュールを含んでいる。例えば、ＮＦＣモジュールは、無線周波数識別（ＲＦＩＤ）技術、赤外線データ協会（ＩｒＤＡ）技術、超広帯域（ＵＷＢ）技術、ブルートゥース（登録商標）（ＢＴ）技術及びその他技術に基づき、実現することが可能である。
【０１１５】
例示的な実施例において、装置１４００は一つ又は複数の特定の用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又はその他電子デバイスにより実現することができ、端末側の上述した方法を実行するために使用される。
【０１１６】
例示的な実施例において、例えばコマンドを含むメモリ１４０４のような、コマンドを含む非一時的なコンピュータ読み取り可能な記憶媒体を提供し、上述したコマンドは装置１４００のプロセッサ１４２０によって実行されることで上述した方法を完成することができる。例えば、前記非一時的なコンピュータ読み取り可能な記憶媒体はＲＯＭ、ランダムアクセスメモリ（ＲＡＭ）、ＣＤ−ＲＯＭ、磁気テープ、フロッピーディスク及び光データ記憶装置などであってもよい。
【０１１７】
図１５は一つの例示的な実施例にかかる、電話を掛けるための装置のブロック図である。例えば、該装置１５００を一つのサーバとして提供することができる。
【０１１８】
図１５に示すように、装置１５００は、一つ又は複数のプロセッサを有する処理ユニット１５２２、及びメモリ１５３２を代表とする記憶装置を備える。該記憶装置は、例えばアプリケーションプログラムのような、処理ユニット１５２２によって実行されるコマンドを記憶するために使われる。メモリ１５３２に記憶されるアプリケーションプログラムは、一つ又は一つ以上の、それぞれが一組のコマンドに対応するモジュールを含むことができる。また、処理ユニット１５２２はコマンドを実行するように構成され、上記のサーバ側の方法を実行する。
【０１１９】
装置１５００は更に、装置１５００の電源の管理を実行するように構成された電源ユニット１５２６、装置１５００をネットワークに接続するように構成された一つの有線又は無線ネットワークインターフェース１５５０、及び一つの入力／出力（Ｉ／Ｏ）インターフェース１５５８を備える。装置１５００はメモリ１５３２に記憶された、例えばＷｉｎｄｏｕｓ（登録商標）  ＳｅｒｖｅｒＴＭ、Ｍａｃ  ０Ｓ  ＸＴＭ、ＵｎｉｘＴＭ、Ｌｉｎｕｘ（登録商標）ＴＭ、ＦｒｅｅＢＳＤＴＭのようなオペレーティングシステムに基づいて操作することができる。
【０１２０】
当業者は、明細書を考慮し、ここに公開された開示を実践した後、本開示の他の実施案を容易に想到する。本願は、本開示の如何なる変形、用途または適応的変化もカバーすることを意図する。これらの変形、用途または適応的変化は、本開示の一般的な仕組みに従い、かつ、本開示に開示されていない当分野における公知常識または慣用技術手段を含む。明細書および実施例は単なる例示と見なされ、本開示の本当の範囲および思想は添付の特許請求の範囲によって与えられる。
【０１２１】
本開示が以上で記述され、図面に示された正確な構造に限定されるものでなく、その要旨を逸脱しない範囲で様々な補正や変更も可能であることは理解されるべきである。本開示の範囲は、添付する特許請求の範囲のみによって限定される。
【図１】
0006491757.tif 000002
【図２】
0006491757.tif 000003
【図３】
0006491757.tif 000004
【図４】
0006491757.tif 000005
【図５】
0006491757.tif 000006
【図６】
0006491757.tif 000007
【図７】
0006491757.tif 000008
【図８】
0006491757.tif 000009
【図９】
0006491757.tif 000010
【図１０】
0006491757.tif 000011
【図１１】
0006491757.tif 000012
【図１２】
0006491757.tif 000013
【図１３】
0006491757.tif 000014
【図１４】
0006491757.tif 000015
【図１５】
0006491757.tif 000016